(57)【要約】【課題】防火用扉等に用いて好適な扉ロック用受け座及び扉ロック装置を提供する。  【解決手段】扉２０に設けられ、扉２０を格納位置に至らせたときに、格納位置に設置された扉保持機構２２の係合ローラ２５に係合し、扉２０を格納位置にロックする扉ロック用受け座Ｐであって、係合ローラ２５を受ける受け座本体３１と、受け座本体３１の着座面前端側に設けられ、扉２０を格納する方向に移動させたときに、係合ローラ２５を乗越えさせ、かつ、係合ローラ２５が着座面に着座したときに係合ローラ２５に係合可能な係合壁３８と、係合壁３８を変位させる雄螺子４５とを備え、係合壁３８は、上下方向に変位可能かつ回動不能に支持されると共に、下方に開口し内部に雌螺子穴３９を有する構成とされ、雄螺子４５は、回動可能かつ上下方向に移動不能に支持され、雌螺子穴３９に螺合されていることを特徴とする。【選択図】図１
2011117201.tif 000002
【特許請求の範囲】
【請求項１】
扉に設けられ、該扉を格納位置に至らせたときに、該格納位置に設置された扉保持機構の係合ローラに係合し、該係合ローラと協働して扉を該格納位置にロックする扉ロック用受け座であって、
前記扉を前記格納位置に至らせたときに、前記係合ローラを受ける着座面を有する受け座本体と、
該受け座本体の前記着座面前端側に設けられ、前記扉を格納する方向に移動させたときに、前記係合ローラを乗越えさせ、かつ、該係合ローラが前記着座面に着座したときに該係合ローラに係合可能な係合壁と、
該係合壁を変位させる雄螺子とを備え、
該係合壁は、上下方向に変位可能かつ回動不能に支持されると共に、下方に開口し内部に雌螺子穴を有する構成とされ、
前記雄螺子は、回動可能かつ上下方向に移動不能に支持され、前記雌螺子穴に螺合されていることを特徴とする扉ロック用受け座。
【請求項２】
請求項１に記載の扉ロック用受け座において、
前記受け座本体の先端部には、前記扉を前記格納位置に至らせる際に前記係合ローラを着座面方向に案内する傾斜面を有する前端壁部が形成されると共に該前端壁部に挿通孔が形成され、該挿通孔に前記係合壁が挿通配置され、
前記前端壁部には、前記挿通孔側に向かって突出した移動規制突起が形成されており、
前記係合壁の上端部には、前記移動規制突起に係合自在な係合段部が形成されていることを特徴とする扉ロック用受け座。
【請求項３】
請求項１又は２に記載の扉ロック用受け座において、
前記受け座本体は、その下方に配置される板状体に固定されており、
該板状体の厚み方向上面側には、前記挿通孔に対応する位置に前記雄螺子の頭部を収容可能な凹部が形成されており、
前記雄螺子の頭部が前記受け座本体と板状体とで支持されることにより上下方向移動不能とされ、
前記板状体の下面と前記凹部底面との間に前記雄螺子の頭部を操作する操作孔が形成されていることを特徴とする扉ロック用受け座。
【請求項４】
開閉可能に支持された扉に設けられる請求項１から３のいずれかに記載の扉ロック用受け座と、
前記扉の格納位置に設けられ、該扉の格納時に前記受け座に係合ローラを係合させて該扉を格納位置に保持する扉保持機構とを備えてなることを特徴とする扉ロック装置。
【請求項５】
請求項４に記載の扉ロック装置において、
前記扉保持機構は、前記係合ローラが前記受け座に係合したときに、該係合ローラを前記着座面に押圧する付勢部材を備えてなることを特徴とする扉ロック装置。
【発明の詳細な説明】
【技術分野】
【０００１】
本発明は、防火扉等に用いて好適な扉ロック用受け座及び扉ロック装置に関する。
【背景技術】
【０００２】
一般に、建築物の壁等に一側が回動自在に設けられた防火扉等は、通常時に、壁の近傍に設けられた格納位置に格納され、非常時に、該格納位置から閉方向（扉を格納位置から出す方向）に回動して、通路等を閉塞するようになっている。このような防火扉の設置構造においては、防火扉と建築物とに、係脱自在の保持手段として扉ロック装置が設けられ、通常時に、防火扉を格納位置に係止して保持するようになっている。
【０００３】
従来、この種の扉ロック装置としては、例えば下記特許文献１に記載されたものが提案されている。
また、関連する技術として、本願発明者等により図７、図８に示された扉ロック装置も考案されている。
【０００４】
すなわち、図５、図６はその扉ロック装置５Ａの構成を示しており、図５において符号１は扉、２Ａは扉の上部に設置された受け座、３は壁Ｗ側に設けられた係合ローラ４を有する扉保持機構である。受け座２Ａと扉保持機構３は、扉ロック装置５Ａを構成している。図５は、ヒンジにドアクローザ機能が備えられたオートヒンジ（不図示）により保持された扉１を壁Ｗ側に回動させ、扉１に設けられた受け座２Ａに扉保持機構３の係合ローラ４を係合させた状態を示している。
【０００５】
図６は、扉保持機構３の構成を示しており、この扉保持機構３は、筐体６の一端に支持された係合ローラ４が、下方へ突出するように設けられたものであって、この係合ローラ４は、ソレノイド７を駆動源とし、駆動機構８を介して筐体６の開口部６ａから下方へ突出し、その突出下限位置が図６に示す位置に調整できるようになっている。この場合、この係合ローラ４の下方への下限位置は、不図示の調整螺子により駆動機構８を介して調整される。
【０００６】
図５に示すように、受け座２Ａは、扉１の上面に固定された受け座本体１０と、この受け座本体１０に対して水平方向に接近・離間自在に配設された移動体１１と、この移動体１１に設けられた孔１２内に挿通され、かつ受け座本体１０に設けられた雌螺子部１３に螺着された雄螺子１４と、受け座本体１０と移動体１１との間に介在されたコイルバネ１５とを備えてなるものである。
【０００７】
移動体１１は、傾斜面１１ａと受け面１１ｂとを有する構成となっている。
この構成において、扉１を格納位置に至らせた場合には、係合ローラ４が受け座本体１０の傾斜面１０ａを乗越えて、受け座本体１０と移動体１１との間に嵌合するようになっている。係合ローラ４は、受け座本体１０の側面と移動体１１の傾斜面１１ａ及び受け面１１ｂ上に保持されて、受け座２Ａ及び扉１が係合ローラ４の位置する場所にロックされる構成となっている。
【０００８】
この場合、この種の扉ロック装置５Ａは、不用意に扉のロックが解除されないようにロック強度を調整する必要がある一方、手動により意図的に扉を開放できるようにしておく必要があるため、係合ローラ４の下方へ突出位置を適切な位置に設定し、係合ローラ４と受け座２Ａとの位置関係を調整してロック強度を適切なレベルに設定する必要がある。そのために、扉ロック装置５Ａは、雄螺子１４を回動することにより移動体１１の水平方向の位置を変更し、これによって係合ローラ４の傾斜面１１ａ上の位置を変化させて、係合ローラ４の上下位置を変更している。
【０００９】
また、図７に示す扉ロック装置５Ｂは、着座面１０ｂ、前端壁部１０ｐ、立上り壁部１０Ｒを有する受け座本体１０に、前端壁部１０ｐに回動自在に保持された雄螺子１６が設けられると共に、着座面１０ｂの近傍に傾斜面１１ａを有する移動体１１が設けられ、雄螺子１６の先端部が移動体１１に形成された雌螺子穴１７に螺着されたものである。
この扉ロック装置５Ｂは、係合ローラ４を前端壁部１０ｐ、立上り壁部１０Ｒ、着座面１０ｂ、移動体１１の傾斜面１１ａにより保持して扉１の移動を規制しロックするものであり、受け座本体１０内に水平方向の定位置に支持された雄螺子１６を回動操作して移動体１１を水平方向に移動させ、傾斜面１１ａの位置を変更することにより係合ローラ４の上下位置を変更し、ロック強度を調整するものである。
【００１０】
また、図８に示す扉ロック装置５Ｃは、前端壁部１０ｑを有する受け座本体１０及び傾斜面１１ａ、１１ｃを有する移動体１１を備えている。この移動体１１は、水平方向に移動可能とされるよう前端壁部１０ｑ方向へ付勢されると共に、付勢と反対の方向に移動させる雄螺子１８が前端壁部１０ｑの雌螺子孔１９に設けられている。この移動体１１の水平方向の移動により、傾斜面１１ａに当接している係合ローラ４の上下位置を変更し、ロック強度を調整している。
【先行技術文献】
【特許文献】
【００１１】
【特許文献１】特開２０００−８７６３０号公報
【発明の概要】
【発明が解決しようとする課題】
【００１２】
ところで、図５、図６に示す従来の扉ロック装置５Ａは、受け座２Ａの構成として、受け座本体１０と移動体１１とを移動体１１の下方に配置された雄螺子１４より接近・離間させる構成であるため、受け座２の厚み寸法が大きくなり、薄型の受け座を用いている既設の防火扉への適用が困難であり、当該厚みの受け座に適用可能なように設計された防火扉にしか使えないという問題があった。
【００１３】
また、扉ロック装置５Ａは、ロック強度の調整において移動体１１の水平方向の移動により傾斜面１１ａに当接した係合ローラ４を上下させる構成を採用しているため、主として該傾斜面１１ａにおいて係合ローラ４が保持されている状態となっている。したがって、扉１を格納位置から引っぱり水平方向の力を加えると、この力の分力が傾斜面１１ａにおいて上方に作用し、係合ローラ４が比較的容易に受け座本体１０を乗越えてしまうという問題があった。
図７、８に示す扉ロック装置５Ｂ、５Ｃも、それぞれの移動体１１に傾斜面１１ａを設け、この傾斜面１１ａにより係合ローラ４の上下位置を変更するものであるから、上記扉ロック装置５Ａと同様に、係合ローラ４が不用意に受け座本体１０を乗越えてしまうという問題があった。
【００１４】
また、扉ロック装置５Ａの扉１は、通常大重量となるように形成されているため、扉１を開閉すると受け座２Ａと係合ローラ４との係合の際に、移動体１１及び移動体１１を位置決めしている雄螺子１４に直接大きな荷重が掛かり、該雄螺子１４が徐々に変形してロック強度の調整が行えなくなってしまうという問題があった。
扉ロック装置５Ｂ、５Ｃも、扉１の格納時に係合ローラ４が受け座２Ｂ、２Ｃに嵌合する際の荷重が直接各移動体１１に掛かるため、同様の問題があった。
【００１５】
また、扉ロック装置５Ａ〜５Ｃのいずれについても、係合ローラ４の下限位置が定められているので係合ローラ４が下方に追従し難く、係合ローラ４が受け座２Ａ〜２Ｃから離間しやすいという問題があり、また扉１は通常オートヒンジにより保持されており常に閉方向に付勢しているため、地震等で扉が上下に撓んだ場合には、ロックが緩みやすく、オートヒンジのドアクローズ機能による水平方向の力が傾斜面１１ａ上で上方に作用して、係合ローラ４が受け座本体１０の側面を簡単に乗越えて不用意にロックが解除されてしまうという問題があった。
そこで、本発明は、上記課題を解決するために以下の手段を提供している。
【課題を解決するための手段】
【００１６】
第１の発明は、扉に設けられ、該扉を格納位置に至らせたときに、該格納位置に設置された扉保持機構の係合ローラに係合し、該係合ローラと協働して扉を該格納位置にロックする扉ロック用受け座であって、前記扉を前記格納位置に至らせたときに、前記係合ローラを受ける着座面を有する受け座本体と、該受け座本体の前記着座面前端側に設けられ、前記扉を格納する方向に移動させたときに、前記係合ローラを乗越えさせ、かつ、該係合ローラが前記着座面に着座したときに該係合ローラに係合可能な係合壁と、該係合壁を変位させる雄螺子とを備え、該係合壁は、上下方向に変位可能かつ回動不能に支持されると共に、下方に開口し内部に雌螺子穴を有する構成とされ、前記雄螺子は、回動可能かつ上下方向に移動不能に支持され、前記雌螺子穴に螺合されていることを特徴とする。
【００１７】
第２の発明は、前記受け座本体の先端部には、前記扉を前記格納位置に至らせる際に前記係合ローラを着座面方向に案内する傾斜面を有する前端壁部が形成されると共に該前端壁部に挿通孔が形成され、該挿通孔に前記係合壁が挿通配置され、前記前端壁部には、前記挿通孔側に向かって突出した移動規制突起が形成されており、前記係合壁の上端部には、前記移動規制突起に係合自在な係合段部が形成されていることを特徴とする。
【００１８】
第３の発明は、前記受け座本体は、その下方に配置される板状体に固定されており、  該板状体の厚み方向上面側には、前記挿通孔に対応する位置に前記雄螺子の頭部を収容可能な凹部が形成されており、前記雄螺子の頭部が前記受け座本体と板状体とで支持されることにより上下方向移動不能とされ、前記板状体の下面と前記凹部底面との間に前記雄螺子の頭部を操作する操作孔が形成されていることを特徴とする。
【００１９】
第４の発明は、開閉可能に支持された扉に設けられる請求項１から３のいずれかに記載の扉ロック用受け座と、前記扉の格納位置に設けられ、該扉の格納時に前記受け座に係合ローラを係合させて該扉を格納位置に保持する扉保持機構とを備えてなることを特徴とする。
【００２０】
第５の発明は、前記扉保持機構は、前記係合ローラが前記受け座に係合したときに、該係合ローラを前記着座面に押圧する付勢部材を備えてなることを特徴とする。
【発明の効果】
【００２１】
請求項１に記載の扉ロック用受け座によれば、係合壁を上下させる雄螺子が係合壁に形成された雌螺子穴内で上下方向に固定されて操作されるものであるため、受け座の厚みが小寸法に押さえられ、既設の薄型の受け座が適用されている防火扉等に適用することができるという効果を奏する。
【００２２】
また、係合ローラは、扉の格納時に受け座本体の着座面及び係合壁に当接しているため、扉に対し水平方向の力が加わっても係合ローラが係合壁を乗越えようとする上方への力が働き難く、ロックが解除され難いという効果を奏する。
【００２３】
また更に、ロック強度の調整を行う構成として係合壁とその上下位置を調整する雄螺子とからなるシンプルな構成としたので、ロック強度の調整が簡易であって、受け座の作製が簡単で安価に提供できるという効果を奏する。
【００２４】
また、扉の格納時において、扉が受け座に嵌合する際の荷重を係合壁が直接に受けないため、ロック強度の調整をする雄螺子及び雌螺子穴が損傷しにくいという効果を奏する。
【００２５】
請求項２に記載の扉ロック用受け座によれば、前端壁に移動規制突起が形成され、該移動規制突起に係合する係合段部が係合壁に形成されているため、係合壁が徒に上方に突出して挿通孔から抜け出たり、誤って突出させたまま扉を格納して格納位置の上面又は扉保持機構を損傷させたりすることを防止することができるという効果を奏する。
【００２６】
また、請求項３に記載の扉ロック装置によれば、雄螺子の位置決め及び固定が容易であるという効果を奏する。
【００２７】
また、請求項４に記載の扉ロック装置によれば、扉に対して振動が加わっても係合ローラが係合壁を乗越え難く、ロック強度の調整が簡易であって、受け座の作製が簡単で安価に提供でき、かつ雄螺子及び雌螺子穴が損傷し難い扉ロック装置を提供することができるという効果を奏する。
【００２８】
また、請求項５に記載の扉ロック装置によれば、地震等により扉が上下に撓んで係合ローラと扉に設けた受け座との間に相対変位が生じた場合にも、付勢部材により係合ローラが常に受け座に追従して離間が生じにくいため、不用意に係合ローラが係合壁を乗越え、ロックが解除されてしまうという問題を回避することが出来るという効果を奏する。
【図面の簡単な説明】
【００２９】
【図１】は、本発明の実施形態として示した扉ロック装置の縦断面図である。
【図２】は、本発明の実施形態として示した扉ロック装置における受け座の平面図である。
【図３】（ａ）、（ｂ）は、本発明の実施形態として示した扉ロック装置における受け座要部の拡大断面図である。
【図４】は、本発明の実施形態として示した扉ロック装置における板状体の平面図である。
【図５】は、従来の扉ロック装置の縦断面図である。
【図６】は、従来の扉ロック装置の扉保持機構を示す側断面図である。
【図７】は、関連する扉ロック装置の縦断面図である。
【図８】は、関連する扉ロック装置の縦断面図である。
【発明を実施するための形態】
【００３０】
以下、図を参照して本発明による扉ロック装置の実施形態について説明する。
図１は、本発明の一実施形態として示した扉ロック装置Ｐを示す図であり、符号２０は扉、２１は壁、２２は、ケーシング２３を介して壁２１に固定された扉保持機構である。
【００３１】
図１は、不図示のオートヒンジにより閉方向（矢印Ｘ方向）に付勢している扉２０を格納位置に至らせ、ロックした状態を示している。
扉保持機構２２は、図６に示す扉保持機構と略同様の構成を有している。係合ローラ２５については、扉保持機構３と異なり、スプリング２６（付勢部材）により下方へ付勢されており、係合ローラ２５の受け座３０に対する上下位置を調整することなく、係合ローラ２５が常時受け座３０を押圧するように構成されている。
【００３２】
扉２０の上端部２７には、凹所２８が形成されており、この凹所２８内には受け座３０が設けられている。この受け座３０は、扉２０の凹所２８内の上面に図示しない螺着手段により固定されている。受け座３０の詳細は図２から図４に示されている。
【００３３】
図２、図３に示すように、符号３１で示す受け座本体には、その後端寄り略中央部に立上り壁部３２が形成されており、更に、立上り壁部３２の前端部側には凹所３３が設けられている。凹所３３の上面は、前記係合ローラ２５を着座させる着座面３４とされている。着座面３４は、平坦な水平面に形成されている。
【００３４】
図３（ａ）、（ｂ）に示すように、凹所３３の前端寄り部分には、前端壁部３５が形成されており、該前端壁部３５は、先端から後端方向に向かって漸次上がる傾斜面３５ａを有し、頂部で水平に延在する形状とされている。
【００３５】
この前端壁部３５の後端部側には平面視矩形の挿通孔３６が上下方向に貫通している。
挿通孔３６の一辺側に面している前端壁部３５の端面３５ｂ及びこれに対向する端面３５ｃは、鉛直方向に立ち上がり、端面３５ｂの上端部には挿通孔３６の周縁に沿って上方の一部を覆うように突出した移動規制突起３７が形成されている。
また、この受け座本体３１には、図２に示すように、凹所３３を挟んだ両側に取付孔５５、５６が設けられている。
【００３６】
挿通孔３６内には係合壁３８が上下方向に移動可能に配置されている。係合壁３８は、図２、図３（ａ）、（ｂ）に示すように、挿通孔３６に略密着して挿通可能に形成され所定の厚み寸法を有した矩形の板材であり、該係合壁３８の内部には、下方に向かって開口した雌螺子穴３９が形成されている。
【００３７】
この構成の下に、係合壁３８は、挿通孔３６内で上下方向に移動自在であり、着座面３４側を向く後端面３８ａは着座面３４に対して垂直かつ係合ローラ２５の移動方向に対して直交する方向を向いている。
【００３８】
係合壁３８の上端部には、前記移動規制突起３７に係合可能な係合段部４０が形成されている。この移動規制突起３７は、図３（ｂ）に示すように、係合壁３８が上方へ移動したときに、係合段部４０と係合して係合壁３８が更に上方へ移動するのを規制している。
【００３９】
板状体４１は、受け座３０を構成する部材であり、受け座本体３１の下方に配置され、該受け座本体３１と共に扉２０の上面に固定されるものである。板状体４１の形状は、断面がＬ字状であり、板体を折曲して形成されている。この板状体４１の内方には、図３（ａ）、（ｂ）に示すように、挿通孔３６に対応する位置に、厚み方向上面側に雄螺子４５の頭部４５ａを収容可能な凹部４２が形成されている。
【００４０】
凹部４２は、図４に示すように、略長円形状に形成されており、長さ方向が扉の厚み方向を向くように形成されている。また、凹部４２の幅寸法は、雄螺子頭部４５ａの径寸法より僅かに大寸法に形成され、凹部４２の深さ寸法は、雄螺子頭部４５ａの厚み寸法と略同一で、図３（ａ）（ｂ）に示すように、板状体４１の上面と雄螺子頭部４５ａの表面が面一になるよう形成されている。
【００４１】
更に、凹部４２の内方には、板状体４１の下面と前記凹部４１の底面との板面間に雄螺子４５の頭部４５ａを回動操作可能とする操作孔４３が形成されている。この操作孔４３は、図４に示すように、凹部４２の幅寸法より小さい幅寸法の長孔形状とされている。
【００４２】
また更に、板状体４１の凹部４２の両側には、受け座本体３１の取付孔５５、５６に対応する位置に、該取付孔５５、５６と同形状の取付孔５７、５８が形成されている。
【００４３】
雄螺子４５は、図３（ａ）、図４に示すように、挿通孔３６の前後端方向（矢印Ｙ方向）の寸法よりも径寸法が大とされた頭部４５ａと、螺子部４５ｂを有している。
この構成の下に、螺子部４５ｂを上方に向けた状態で雄螺子４５の頭部４５ａを板状体４１の凹部４２に位置させ、受け座本体３１を上方から配置することで、雄螺子４５が受け座本体３１及び板状体４１に上下方向移動不能に固定されている。
【００４４】
受け座３０の扉２０への配置に際しては、まず、雄螺子４５の螺子部４５ｂを上方に向け、頭部４５ａが板状体４１の凹部４２に位置するように配置し、その板状体４１の上方から、係合壁３８を挿入配置しておいた受け座本体３１を被せて、板状体４１の裏面からドライバ等を操作孔４３に挿通し雄螺子４５を係合壁３８の雌螺子穴３９に螺合することにより、受け座３０の組み立てを行う。
この状態で、雄螺子４５を回動し、係合壁３８の位置を上下させてロック強度を調整する。
【００４５】
次に、図1に示すように、係合壁３８の上下位置が適宜設定された受け座３０を扉２０の凹所２８に設置して、受け座本体３１の取付孔５５、５６及び板状体４１の取付孔５７、５８において受け座３０を扉に螺子（不図示）によって仮止めする。
この際、雄螺子４５を収容している凹部４２は長穴形状とされているので、受け座本体３１の係合ローラ２５に対する位置関係を適宜微調整した上で、取付孔５５、５６を挿通させた螺子を本締めして受け座３０を扉２０に固定する。
【００４６】
次に、上記のように扉に固定された扉ロック装置Ｐの作用について説明する。
この扉ロック装置Ｐは、図１に示すように扉２０を格納位置に置いた状態においては、係合ローラ２５が受け座３０の着座面３４上に位置していることになるが、この際、受け座３０に対する係合ローラ２５の位置は調整されておらず、スプリング２６により最大に突出させた状態とされているので、受け座３０に着座させた場合、係合ローラ２５は着座面３４に常時接し、かつ押圧するように配置されている。
【００４７】
この状態において、例えば、扉２０を格納されていない閉位置から図１に示す格納位置に移動させた場合には、まず扉２０を移動させることによって係合ローラ２５が受け座本体３１の前端壁部３５の傾斜面３５ａに当接し、扉２０が更に移動することによって係合ローラ２５が傾斜面３５ａを乗り上げ、更に前端壁部３５の上面を転動し、更に係合壁３８を通過して凹所３３内に嵌合し、その下面が着座面３４に当接する。ここで係合ローラ２５は、凹所３３内に位置すると共に、立上り壁部３２、係合壁３８によって水平方向の移動が規制される。この状態において、係合ローラ２５と受け座３０との嵌合が完了し、扉２０がその位置にロックされることになる。
【００４８】
次に、このロック状態を解除して扉２０を任意に開放するには、扉２０を操作して矢印Ｘ方向に引き出す。この場合、係合ローラ２５が係合壁３８を乗越え、更に前端壁部３５を乗越えることによって前記ロックが解除され扉を開放することが出来る。
【００４９】
この場合、上記の扉ロック装置Ｐにおいては、係合壁３８の上下方向の高さを上述した方法で適宜設定することによって、ロックを解除する際の係合ローラ２５と受け座３０との係合強度を適切な状態に設定することが出来る。
【００５０】
また、係合ローラ２５が常時着座面３４に付勢されているので、例えば地震等が発生した場合に、係合ローラ２５と着座面３４とが常に接した状態で扉２０の動きに係合ローラ２５が追従することになり、係合ローラ２５と着座面３４とが離れることなく、また、オートヒンジのドアクローズ機能によって扉２０に水平方向の力が働いても係合ローラ２５の移動方向に対し直交する面を有した係合壁３８によって水平方向の力を抑えて不用意に係合ローラ２５が係合壁３８及び前端壁部３７を乗越えることなく、ロックが解除されにくい。
【００５１】
以上、説明したように、扉ロック装置Ｐによれば、係合壁３８を上下させる雄螺子４５が係合壁３８に形成された雌螺子穴３９内に上下方向に配置されて回動操作されるものであるため、受け座３０の厚みが小寸法に抑えられ、既設の薄型の受け座が適用されている防火扉２０等に適用することができるという効果が得られる。
【００５２】
また、係合ローラ２５は、扉２０の格納時に受け座本体３１の水平な着座面３４及び鉛直方向かつ係合ローラ２５の移動方向に直交する壁面を有する係合壁３８に当接しているため、扉２０に対し水平方向の力が加わっても係合ローラ２５が係合壁３８を乗越えようとする上方への力が働き難く、ロックが不用意に解除され難いという効果が得られる。
【００５３】
また更に、ロック強度の調整を行う構成として係合壁３８とその上下位置を調整する雄螺子４５とからなるシンプルな構成としたので、ロック強度の調整が簡易であって、受け座３０の作製が簡単で安価に提供できるという効果が得られる。
【００５４】
また、扉２０の格納時において、係合壁３８が扉２０の荷重を直接に受けないため、ロック強度の調整をする雄螺子４５及び雌螺子穴３９が損傷しにくいという効果を奏する。
【００５５】
また、前端壁部３５に移動規制突起３７が形成され、該移動規制突起３７に係合する係合段部４０が係合壁３８に形成されているため、係合壁３８が徒に上方に突出して挿通孔３６から抜け出たり、誤って突出させたまま扉２０を格納して格納位置の上面又は扉保持機構２２を損傷させたりすることを防止することができるという効果が得られる。
【００５６】
また、雄螺子４５により係合壁３８の位置決め及び固定が容易であるという効果が得られる。
【００５７】
また、本実施形態による扉ロック装置Ｐによれば、扉２０に対して振動が加わっても係合ローラ２５が係合壁３８を乗越え難く、ロック強度の調整が簡易であって、受け座３０の作製が簡単で安価に提供でき、かつ雄螺子４５及び雌螺子穴３９が損傷し難い扉ロック装置Ｐを提供することができるという効果が得られる。
【００５８】
また、地震等により扉が上下に撓んで係合ローラ２５と扉２０に設けた受け座３０との間に相対変位が生じた場合にも、スプリング２６により係合ローラ２５が常に受け座３０に追従して離間が生じないため、不用意に係合ローラ２５が係合壁３８を乗越え、ロックが解除されてしまうという問題を回避することが出来るという効果が得られる。
【００５９】
また更に、係合壁３８の高さ調整によるロック強度の調整と、係合ローラ２５を付勢させる機能が互いに連関していないため、それぞれ各個に容易に調整することが出来るという効果が得られる。
【符号の説明】
【００６０】
２０  扉
２２  扉保持機構
２５  係合ローラ
２６  スプリング（付勢部材）
３０  受け座
３１  受け座本体
３４  着座面
３７  移動規制突起
３８  係合壁
４０  係合段部
４５  雄螺子
【図１】
2011117201.tif 000003
【図２】
2011117201.tif 000004
【図３】
2011117201.tif 000005
【図４】
2011117201.tif 000006
【図５】
2011117201.tif 000007
【図６】
2011117201.tif 000008
【図７】
2011117201.tif 000009
【図８】
2011117201.tif 000010